(57)【要約】【課題】本発明は、従来の自動販売機の３倍以上の商品を収納展示でき、高所空間利用で省スペース、収納棚の中身が見え、多種多様のショーケースや自販機が製作できる、クリアー式回転多段収容庫を提供する。【解決手段】本発明は、一定間隔をおいた上下のスプロケットにエンドレス状にチェーンを掛け、これを両サイドに置き、そのチェーンの間に適宜サイズの収容棚を吊り下げ、このチェーンをモーターで回転させ、このチェーンを掛ける為に使用するスプロケットの直径を大か小のものに取り替え、更にこのスプロケット間の回転シャフトの強度を落さず、一部取り除く事で、特別に複雑な機構を用いる事無く、コンパクトで多種多様なクリアー式回転多段収容庫が出来た。【選択図】図１
2008022955.tif 000002
【特許請求の範囲】
【請求項１】
多段収容庫に関するもので、一定間隔をおいた上下のスプロケット（チェーン用ギヤーとも言う、以下省略）にエンドレスにチェーンを掛け、このエンドレスチェーンとスプロケットのセットを両サイドに置き、そのチェーンの間に適宜サイズの収容棚を吊り下げ、このチェーンをモーターで回転させ、このチェーンを掛ける為に使用するスプロケットの直径を大か小のものに取り替え、更にこのスプロケット間の回転シャフトの強度を落さず、一部取り除く事で、特別に複雑な機構を用いる事無く、多種多様なサイズの中身が見えるコンパクトな収容庫が製作できる事を特徴とする、クリアー式回転多段収容庫。
【請求項２】
チェーンを掛けるスプロケットの安定した固定には、ピローブロックの２個を１ヶ所にダブル使用。吊り下げ式収容棚には、収容物が見えるクリアーな素材を部分使用。冷暖房機、案内スピーカー、スライド開閉式など、自動販売機能を添えた構造を特徴とする、請求項１に記載するクリアー式多段収容棚。
【発明の詳細な説明】
【技術分野】
【０００１】
本発明は、多段収容棚で、一定間隔をおいた上下のスプロケットとにエンドレスチェーンを掛け、このエンドレスチェーンとスプロケットのセットを両サイドに置き、そのチェーンの間に適宜サイズの収容棚を吊り下げ、このチェーンをモーターで回転させ、このチェーンを掛ける為に使用するスプロケットの直径を大か小のものに取り替え、更にこのスプロケット間の回転シャフトの強度を落さず、一部取り除く事で、特別に複雑な機構を用いる事無く、多種多様なサイズの中身が見えるコンパクトな収容庫が製作できる事を特徴とする、クリアー式回転多段収容庫に関するものである。
【背景技術】
【０００２】
従来は、エンドレス式多段収容庫は主に大型の回転型の立体駐車場の利用が主流で、小型は市役所等の回転型の収納書庫が利用されている
しかし、従来の収容庫は収容棚全体が見えない、鋼製のケースが主流でソフトで美的感のある装置に欠いていた。
【０００３】
最近では、コンピューターと回転多段収容庫が連動され、必要な部品のキーボードを押せば、多段収容庫が回転し、必要な部品を選定し出庫する回転収容庫も販売されている。
【０００４】
エンドレス式多段収容庫の利点としては、左右に位置するエンドレスチェーンに適宜サイズの吊りカゴの上部を両サイド吊り下げて回転するもので、停止、上、下と操作が簡単で収容物を納出庫でき、全体的に複雑さはない。
【０００５】
前述の通り、従来型のエンドレス収容棚は、立体駐車場及書類棚、回転部品倉庫棚などに限られ、回転して目前で停止するまで収容棚の中身が確認できない欠点がある。
【０００６】
その為エンドレス回転収容庫全体が大型で重量感がありすぎる。車庫や倉庫の暗いイメージが強い回転収容棚が提供されている。
【０００７】
回転装置全体が大型化するか、チェーンに吊り下げる回転棚ケースの吊り下げ幅にも制限があり、収容物のサイズが限定される欠点もあった。
【０００８】
エンドレス回転棚の先行特許は少ないが、先行特許公報においては、概ね以下に分類する収納庫に関する提案がなされている。装置全体が大型化されているものが主力である。
【特許文献１】特開平１０−０９９１４９  公報
【特許文献２】特開平０８−２０５９４０  公報
【特許文献３】実用新公開平０５−０１０３１２  公報
【０００９】
市販品では、マキシンコーロータリーストッカーとラムテックのオートシェルフが利用されているが、大型の部品倉に限定されている。
【発明の開示】
【発明が解決しようとする課題】
【００１０】
以上に述べた様に従来のエンドレス回転収容庫はすべてが大型の収容庫で、コンパクトで小型化され、自動販売機などに向く装置ではない。
コンパクトで小型化する為には、チェーンを装着し回転させる為、両サイドに位置し、上、下にあるスプロケットの回転軸があるが、この回転軸があり、回転棚に当たることで、サイズの変更や仕様の変更がしにくい、課題があった。
【００１１】
更に、回転収容棚も回転軸の部分は強度の都合上、鋼材でもその他はクリアー式にして中身が見える収容庫にし、回転式の本棚などの小物から１ヶ５ｋ〜１０kgと大物重量物までを収納し、デパートやスーパーでも回転ショーケースとして使え、自動販売機としても利用できる、回転収容庫でソフトにできる方法はどうすれば良いかとの課題もあった。
【００１２】
本発明は、このような従来の構成でいろいろな問題を解決しようとするものであり、すべての部品の強度を落す事無く、家庭用から店舗、自販機、工場用部品等、多目的収容庫を可能とすることを目的とするものである。
【課題を解決するための手段】
【００１３】
請求項１の発明は一定間隔をおいた上下のスプロケットにエンドレスにチェーンを掛け、このエンドレスチェーンとスプロケットのセットを両サイドに置き、そのチェーンの間に適宜サイズの収容棚を吊り下げ、このチェーンをモーターで回転させ、このチェーンを掛ける為に使用するスプロケットの直径を大か小のものに取り替え、更にこのスプロケット間の回転シャフトの強度を落さず、一部取り除く事で、特別に複雑な機構を用いる事無く、多種多様なサイズの中身が見えるコンパクトな収容庫が製作できる事を特徴とする、クリアー式回転多段収容庫。
【００１４】
請求項２の発明は、チェーンを掛けるスプロケットの安定した固定には、プローブロックの２個を１ヶ所にダブル使用。吊り下げ式収容棚には収容物が見えるクリアーな素材を部分使用。冷暖房機、案内スピーカー、スライド開閉式など自動販売機能を添えた構造を特徴とする、請求項１に記載するクリアー式回転多段収容棚を提供する事により問題点を解決している。
【発明の効果】
【００１５】
次の発明効果が考えられる
（イ）スプロケットの回転軸がない為、回転収容庫全体が小型化でき、ケースの一部をクリアー式にする事で、中身が見えソフト化できる。
（ロ）スプロケットの直径と両サイドのスプロケットの幅を替える事で、吊り下げ式の収容庫の奥行きと幅を目的に応じて変える事が可能。
【００１６】
（ハ）従来の自動販売機はボックスの正面の１面のみの利用であるが、本願発明装置は、ボックスより上に２〜３倍や、地下の下にボックスの２〜３倍と利用範囲が広く、収容棚の回転を停止して、目前で収容物の出し入れが可能。
（ニ）従って、１基で従来の自販機数台分の収納が可能で、高所の空間利用と省スペースに役立つ。
【発明を実施するための最良の形態】
【００１７】
一定間隔をおいた上下のスプロケットにエンドレスにチェーンを掛け、このエンドレスチェーンとスプロケットのセットを両サイドに置き、そのチェーンの間に適宜サイズの収容棚を吊り下げ、このチェーンを掛ける為に使用するスプロケットの直径を大か小のサイズに替え、又、回転軸となるシャフトをスプロケット間より切り取った作りで、収容棚の回転がシャフトの上を越える必要がない。
【００１８】
その為に収容棚の材質やサイズにも限定されず、プラスチックケースも出来、中身が見え、ノートや本、更にはビン、缶のジュースから洋服、洋品から工具、部品とあらゆる形状のクリアー式回転多段収容庫や通常より大型の自販機が提供できる。
【実施例】
【００１９】
以下、本発明の一実施例を図に基づいて説明する。
【００２０】
図１はクリアー式回転多段収容棚（略して収容庫とも言う）の姿斜視図である。。
【００２１】
図２は収容庫の正面図で、１は収容庫ケースで、上の方から説明すれば、２はケース倒壊防止用、スライド式金具、３は小型のエアコン装置で、缶、ビン用、果物、お菓子類と食品用に季節で利用可。４はセンサー付スピーカーで人が近づくと音が出る。又、防犯用にも応用できる。
【００２２】
５はお礼出入口で６はコイン投入口と返金口で、７は回転スイッチ（操作）ボタンで、上回り、停止、下回りとできる。
【００２３】
８は物品を出入口で上下スライド式となっている開閉口板で、９は本や新作サンプルケースで１０はアンカーボルト４〜６本で収容庫全体のズレや倒壊を防止している。１１は正面のクリアー張り面で中が見える。
【００２４】
図３は背面図で、１２は天井止め金の支持金具でしっかり固定し、１３は空気口及メンテナトビラとなっており、１４は本発明の中のクリアー式回転収容棚で１５のチェーンに両サイドが吊り下げられている。。
【００２５】
図４は左側面図で、１３は空気口で１６は電気ソケット差し込み口で、１７はコントローラー及インバーターケースである。
【００２６】
図５は右側面図で、２、３、１３は図２、図３の通りである。
【００２７】
図６は平面図で、１、２、３、１０、１６は図２、図４の通りである。
【００２８】
図７は底面図で１はケースの底板で１０はアンカー穴である。
【００２９】
図８は内部機構のＡ−Ａ断面参考図で、１８はスプロケットで上下に位置し、１５のチェーンのエンドレスを構成しているもので、２０のモーターで２１のモーター駆動チェーンを介し、回転する。１９は振れ止めフリーコロ回転装置で、１４の収容棚の揺れを防止する。
【００３０】
ここが新考案の請求項１でスプロケット１８の直径を大か小に替えることで、１４の収容庫（クリアー式回転棚と同じ）の奥行きを替えることができる。
【００３１】
図９は内部機構のＢ−Ｂ断面参考図で正面のケースを除いた図を表わしている。本願発明１の中味を表すもので、１はケースで両サイドにある１５のチェーンに１４のクリアー式収容庫が吊り下げられ、中身が見える素材で構成され、チェーンは両サイドにと上下にある２２のピローブロックで、それぞれ２ヶづつで固定され、２０のモーターより２１の駆動チェーンで直結して回転する。
【００３２】
図１０は内部機構のＣ−Ｃ断面参考図で、本願発明の一部で２２のダブルピローブロックに固定された、１８のスプロケットの両サイドに中心、回転シャフトがない。その為１４のクリアー式収容庫は回転シャフトを越える高さが必要でなく、コンパクトな１のケース枠におさまる。２３はドアースライド開閉装置で、２４は上下スライドさせる為のモーターである
【００３３】
図１１は振れ止めフリーコロの参考図で、２５の回転コロに図１０の収容棚１４が常時当りながら回転する為、収容棚１４から商品や荷物を出し入れしても内部の振れは起らず、２５の回転コロも自由に回る仕組で抵抗を少なくしている。
【００３４】
図１２は１４のクリアー収容棚の吊り下げ状態参考図で、収容棚は中身が見えて取り出しがしやすく、棚の両サイドには吊り下げ用シャフト（軸）が施してあり、その軸にはオイルレスベアリングが組み込まれてあり、スムースに回りオイルも出ない作りである。
【００３５】
図１３は取り出し口、ドアースライド開閉装置参考図で、ドアースライド開閉装置２３の全体図で、開閉モーター２４で回転され、２８のワイヤー先は８の上下スライド開閉口板に固定され、モーターの正転、逆転で上下して開閉、２９のガイドレールで誘導されている。
【００３６】
図１４はコントローラー及インバーター操作板の参考図で、３１のスイッチは停止、回転、自動、冷暖房、スピーカー、ＯＮ、ＯＦＦ、等に区別されて事前にセットしておく。
【００３７】
数字のメモリーはクリアー多段収容棚の商品別、入出庫数や有効期限の把握にもインプットとして利用。タイマーにより照明や、オープン時間等、又冷暖房のタイマーにも利用できる。
【００３８】
その他、センサー、防犯カメラの併用等において、色々と有効利用がある。
【産業上の利用可能性】
【００３９】
エンドレス式の回転収容庫は立体駐車場で見られる通り、重い車を高所に多数収納でき、省スペースで高効率且つ、目前で入出庫でき、収容庫としては最高の装置であるが、用途が限定されていた。しかし、本願発明のクリアー式エンドレス多段収容庫で次の様な産業上の効果がある。
【００４０】
クリアー式で収容棚の中身が見え、奥行き、幅のサイズが収容物の目的に応じて小から大まで自由に出来る。
従って、スペースは同じでも高所の空間を利用し、従来の３倍以上の量を収容展示できる自動販売機が製作できる。
鉄工所向け等工具入れ、コンビニ用のショーケース、事務所向けの書類入れ等、中身が見え、ソフトな回転容庫ができる。
小規模の駅、田舎の過疎地、工場地区でのコンビニやスーパーの無人化に適し、コンビニ強盗等が多発する時代の要求にも合致し、新流通スタイルの経済発展に大きく期待できる。
【図面の簡単な説明】
【００４１】
【図１】クリアー式回転多段収容棚（略して収容庫とも言う）の斜視図
【図２】クリアー式回転多段収容棚正面図
【図３】〃              背面図
【図４】〃              左側面図
【図５】〃              右側面図
【図６】〃              平面図
【図７】〃              底面図
【図８】内部機構のＡ−Ａ断面参考図
【図９】内部機構のＢ−Ｂ断面参考図
【図１０】〃    Ｃ−Ｃ    〃
【図１１】振れ止めフリーコロの参考図
【図１２】吊り下げクリアー収容棚の状態参考図
【図１３】取り出し口ドアースライド開閉装置参考図
【図１４】コントローラー及インバーター操作板参考図
【符号の説明】
【００４２】
１．クリアー式回転多段収容棚ケース（略して収容庫とも言う）
２．天井固定金具（スライド式）
３．小型エアコン装置
４．スピーカー（センサー付）
５．お札出入口
６．コイン投入口（返金口）
７．スイッチ（操作）ボタン
８．上下スライド開閉口板
９．サンプルケース
１０．アンカー
１１．クリアー張り面
１２．支持金具
１３．空気口（ガラリ）及メンテトビラ
１４．クリアー式回転多段収容棚（略して収容庫とも言う）
１５．チェーン
１６．ソケット差込口
１７．コントロール及インバーターケース
１８．スプロケット（チェーンギアー）
１９．振れ止めフリーコロ回転装置
２０．モーター
２１．モーター駆動チェーン
２２．ピローブロック
２３．ドアースライド開閉装置
２４．スライド開閉のモーター
２５．回転コロ
２６．吊り下げ用シャフト（軸）
２７．オイルレスベアリング
２８．ワイヤー
２９．ガイドレール
３０．コントローラー及インバーター操作板参考図
３１．スイッチ
３２．数字（メモリー）
３３．タイマー
【図１】
2008022955.tif 000003
【図２】
2008022955.tif 000004
【図３】
2008022955.tif 000005
【図４】
2008022955.tif 000006
【図５】
2008022955.tif 000007
【図６】
2008022955.tif 000008
【図７】
2008022955.tif 000009
【図８】
2008022955.tif 000010
【図９】
2008022955.tif 000011
【図１０】
2008022955.tif 000012
【図１１】
2008022955.tif 000013
【図１２】
2008022955.tif 000014
【図１３】
2008022955.tif 000015
【図１４】
2008022955.tif 000016